(57)【特許請求の範囲】
【請求項１】
縦長の外壁パネルＰが、少なくとも表の外被板１と、表の外被板１の裏面側に配置した芯材３とで形成されており、
外壁パネルＰの左右側縁に沿って、目地溝２２を形成する段部６ａ・６ｂと、各段部６ａ・６ｂの内奥に連続して設けられて横向きに凹凸係合する雄嵌合部７と雌嵌合部８とを備えている縦張り型の外壁パネルであって、
雄嵌合部７は、一方の段部６ａより横外側方へ突設されて、その突端にパネル裏面側へ凹む樋部９を有し、
雌嵌合部８は、他方の段部６ｂに連続してパネル内方へ凹む溝からなり、その溝壁に連続して該段部６ｂより横外側方へ突出する締結壁１９を有し、
隣接する外壁パネルＰを嵌合連結した状態において、対向する段部６ａ・６ｂと雄嵌合部７の前面壁１１とで目地溝２２が区画され、雌嵌合部８の内奥に樋部９が嵌合している縦張り型の外壁パネル。
【請求項２】
一方の段部６ａと雄嵌合部７との間には、該段部６ａよりパネル内方へ凹む溝状の分離壁１０を設け、該分離壁１０に連続して前面壁１１が形成されており、
目地溝２２と樋部９とが、雄嵌合部７と雌嵌合部８との嵌合隙間Ｅを介して連続しており、
樋部９の横断面積が嵌合隙間Ｅの横断面積より十分に大きく設定してある請求項１記載の縦張り型の外壁パネル。
【請求項３】
樋部９の遊端に位置する樋側壁１４の上端が、段部６ｂに連続してパネル内方へ凹む雌嵌合部８の溝前壁１６に当接していることを特徴とする請求項１又は２記載の縦張り型の外壁パネル。
【請求項４】
樋部９の樋側壁１４と、雌嵌合部８の前記溝前壁１６に連続する溝奥壁１７との間に、シール材２５が配置してあることを特徴とする請求項１又は２又は３記載の縦張り型の外壁パネル。
【発明の詳細な説明】
【０００１】
【発明の属する技術分野】
本発明は、横方向へ嵌合連結される外壁パネルの側端どうしが、目地溝を介して対向隣接する形態の縦張り型の外壁パネルに関する。目地溝は、目地溝によって生じる影によって立体感と垂直線とを強調するなど、デザイン上の要請で設けられることが多い。
【０００２】
【従来の技術】
この種の外壁パネルでは、風雨時に雨水が目地溝の内奥へと吹き込む。目地溝の内奥には横向きに凹凸係合する嵌合部が設けてあり、この嵌合部を回り込んで雨水が壁パネルの内面へ浸入するおそれがある。こうした雨水の浸入を防ぐために、各種の防水構造が提案されている。例えば、図７の従来例によれば、目地溝３０の内奥一側に設けた断面コ字形の溝３１と、この溝３１に内嵌する突部３２とで嵌合部を構成し、溝３１の内奥の嵌合面に設けたシール材３３で雨水の浸入を遮断している。３４は釘等の止具である。
【０００３】
【発明が解決しようとする課題】
シール材３３を用いた従来形態は、溝３１と突部３２とが適正に嵌合している限り止水機能を発揮できる。しかし、施工時のばらつき等によって、突部３２と溝３１との接合力が局部的に不足する場合や、隣接する外壁パネルが山形に屈折する状態で接合される場合などに、シール材３３による止水作用が十分に発揮されないことがある。かと言って突部３２と溝３１との嵌合隙間を小さくすると、嵌合形態をある程度適正化できるが、組みづらく施工が困難になることを避けられない。
【０００４】
殆どの場合、外壁パネルは一側端のみを釘やビスで固定し、他側端は隣接する外壁パネルとの凹凸嵌合によって装着状態を維持している。そのため、嵌合部の構造によっては、外壁パネルが負圧力を受けて外向きに押し出される場合に嵌合部がたわみ変形し、外壁パネルがバタついて騒音を発生じやすい。釘止め線に沿って締結壁が折れ曲がることもある。嵌合部が繰り返したわみ変形することで、嵌合部に達した雨水が外壁パネルの内面側へ回り込むこともある。毛細管現象による雨水の浸み込みも多発していた。
【０００５】
本発明の目的は、隣接する外壁パネルの嵌合部からの雨水の浸入を確実に阻止し、暴風雨等の際の漏水や外壁パネルのバタつきを確実に解消できる縦張り型の外壁パネルを提供するにある。本発明の目的は、施工に若干のばらつきがある場合にも、雨水が嵌合部を回り込んで壁内面へ浸入するのを防止でき、従って常に均一な防水機能を発揮できる外壁パネルを提供するにある。
【０００６】
【課題を解決するための手段】
本発明では、縦長の外壁パネルＰが、少なくとも表の外被板１と、表の外被板１の裏面側に配置した芯材３とで形成されている。外壁パネルＰの左右側縁に沿って、目地溝２２を形成する段部６ａ・６ｂと、各段部６ａ・６ｂの内奥に連続して設けられて横向きに凹凸係合する雄嵌合部７と雌嵌合部８とを備えている。雄嵌合部７は、一方の段部６ａより横外側方へ突設されて、その突端にパネル裏面側へ凹む樋部９を有する。雌嵌合部８は、他方の段部６ｂに連続してパネル内方へ凹む溝からなり、その溝壁に連続して該段部６ｂより横外側方へ突出する締結壁１９を有する。隣接する外壁パネルＰを嵌合連結した状態においては、対向する段部６ａ・６ｂと雄嵌合部７の前面壁１１とで目地溝２２が区画され、雌嵌合部８の内奥に樋部９が嵌合している。
【０００７】
具体的には、一方の段部６ａと雄嵌合部７との間には、該段部６ａよりパネル内方へ凹む溝状の分離壁１０を設け、該分離壁１０に連続して前面壁１１が形成されており、目地溝２２と樋部９とは、雄嵌合部７と雌嵌合部８の嵌合隙間Ｅを介して連続しており、樋部９の横断面積は嵌合隙間Ｅの横断面積より十分に大きく設定してある。樋部９の遊端に位置する樋側壁１４の上端は、段部６ｂに連続してパネル内方へ凹む雌嵌合部８の溝前壁１６に当接させておく。樋部９の樋側壁１４と、雌嵌合部８の前記溝前壁１６に連続する溝奥壁１７との間には、図６（ａ）に示すごとくシール材２５を配置することができる。
【０００８】
【実施例】
図１ないし図３は本発明に係る外壁パネルの実施例を示す。図２において、外壁パネルＰは表側の外被板１と、裏側の外被板２と、両外被板１・２間に配置した芯材３とで、上下方向に長い縦張り型に構成されている。表側の外被板１は、塗装鋼板ないしはメッキ−塗装鋼板等の金属板を素材にして、これに塑性加工を施して形成する。裏側の外被板２も同様に形成するが、場合によってはアルミニウム箔や紙で形成することもある。芯材３は、ウレタンフォーム、フェノールフォーム、ヌレートフォーム等の断熱性に富む発泡プラスチック材を両外被板１・２の間に充填発泡して形成され、あるいは石こうボードやロックウールボード等の断熱材を兼ねる不燃材を貼り付けて形成される。図２において符号４は外壁パネルＰが取り付けられる胴縁、５は柱である。
【０００９】
図３において外壁パネルＰは、その左右側縁に沿って裏面（内面）側へ折れ曲がる段部６ａ・６ｂを有し、各段部６ａ・６ｂの裏面側の内奥端に連続して雄嵌合部７と雌嵌合部８とをそれぞれ設けてなる。
【００１０】
雄嵌合部７は、一方の段部６ａより横外側方へ突出する状態で設けられ、その突端にパネル裏面側へ凹む樋部９を設ける。この段部６ａと雄嵌合部７との間には、該段部６ａよりパネル内方へ凹む溝状の分離壁１０を設ける。雄嵌合部７は、分離壁１０に連続する前面壁１１と、前面壁１１の側端に連続して裏面側へ折れ曲がる側端壁１２と側端壁１２の内面に接合固定した裏側の外被板２とで中空枠状に形成し、さらにその内部に芯材３を充填してなる。つまり雄嵌合部７は芯材３と外被板２とで裏打ち補強して厚板状に形成されている。
【００１１】
樋部９は、前記側端壁１２と、側端壁１２の裏側端に連続して横外側方へ延びる底壁１３と、底壁１３の外側端から側端壁１２とほぼ平行に立ち上げられて樋内へ反転屈曲した樋側壁１４とで、パネル表側へ向かって開口する断面コ字形に形成されている。樋側壁１４の突端は前面壁１１よりもパネル表側へ突出しており、底壁１３は裏側の外被板２と面一状に設ける。前記段部６ａ、分離壁１０、前面壁１１、側端壁１２、底壁１３および樋側壁１４は、表側の外被板１の表面壁１ａに連続して一体に折り曲げ形成する。
【００１２】
雌嵌合部８は、他方の段部６ｂの裏側端に連続する溝前壁１６と溝奥壁１７と溝後壁１８とで形成した、パネル内方へ凹むコ字溝からなり、溝後壁１８に連続して該段部６ｂより横外側方へ突出する締結壁１９を一体に設けてなる。締結壁１９の外側端縁は表面側へ反転屈曲されている。溝前壁１６と溝後壁１８との前後間隔は、雄嵌合部７の前後厚みより大きく、前記樋側壁１４の前後長さと同じかこれより僅かに大きく設定する。隣接する外壁パネルＰを嵌合連結した状態において、雌雄の嵌合部７・８は横向きに凹凸係合し、雌嵌合部８の内奥に樋部９が嵌合している。更に締結壁１９の突端は雄嵌合部７の突出基端を越えてパネル裏面側へ入り込む。前記段部６ｂ、雌嵌合部８を形成する各溝壁１６・１７・１８及び締結壁１９は、表側の外被板１の表面壁１ａに連続して一体に折り曲げ形成する。裏側の外被板２の他方の側端は、溝奥壁１７の内面に接合固定する。
【００１３】
外壁パネルＰは、一側縁の締結壁１９を釘やビス等の止具２０で胴縁４に固定する。次に次列の外壁パネルＰの雄嵌合部７を既設の外壁パネルＰの雌嵌合部８に嵌合し、次列の雌嵌合部８の締結壁１９を止具２０で固定する作業を繰り返し行って壁を構築する。
【００１４】
図１に示すように、隣接する外壁パネルＰを連結した固定状態において、左右に対向する一対の段部６ａ・６ｂと、雄嵌合部７の前面壁１１とで、壁外面側へ向かって開口する目地溝２２が形成される。雌嵌合部８には、樋部９と雄嵌合部７の突端寄り部とが入り込んでいる。樋部９は、その樋側壁１４が溝奥壁１７に接合する状態で雌嵌合部８に嵌合しており、雌雄の嵌合部７・８の嵌合隙間Ｅを介して目地溝２２と連続している。そのため、風雨時には目地溝２２に吹き込んだ雨水の一部が嵌合隙間Ｅを介して樋部９へ流れ込む。こうした、樋部９への雨水の吹き込みの勢いを削いで、雨水を樋部９に沿って確実に流下させるために、樋部９の横断面積を嵌合隙間Ｅの横断面積より十分に大きく設定して、雨水が樋内部で飛び散るのを防いでいる。そして前記した溝状の分離壁１０と嵌合間隔Ｅとによって目地溝２２に形成される陰影を濃厚にしている。又間隔Ｅの形成により雄嵌合部７の雌嵌合部８への挿入取り付けを容易にしている。
【００１５】
隣接する外壁パネルＰの嵌合部においては、樋部９の底壁１３と樋側壁１４の前後端を、溝前壁１６と溝後壁１８とで受け止め保持することにより、次列の外壁パネルＰの厚み方向の遊動を阻止する。つまり変形しにくい樋部９を雌嵌合部８で受け止め、さらに樋部９の基端を厚板状の雄嵌合部７で強固に支持して次列の外壁パネルＰの浮き上がりを阻止している。従って、外壁パネルＰに外向きの負圧が作用する場合にも、樋側壁１４や底壁１３が内外にたわみ変形してパネル全体がバタつくのを防止できるうえ、隣接する外壁パネルＰの一群を面一状に葺き上げることができる。樋側壁１４の上端を樋部９内に反転屈曲する二重壁で形成することもたわみ防止に役立っている。
【００１６】
嵌合隙間Ｅから入り込んだ雨水は樋部９に沿って流下するので、樋部９と雌嵌合部８との嵌合状態に若干のバラつきがあっても、確実に雨水を排出して壁内面への回り込みを防止できる。つまり、外壁パネルＰの施工のバラつきをそれほど気にする必要がなく、嵌合隙間Ｅが十分に大きいことも加わって、外壁パネルＰを容易に葺き上げることができる。なお、分離壁１０は嵌合隙間Ｅと同じ前後間隔に形成してあり、目地溝２２の内奥両端の外観を左右で一致させ、前述のように目地溝２２の陰影を濃厚にし、明暗のコントラストを強調することにより、左右の段部６ａ・６ｂの立体感を強調するのに役立っている。
【００１７】
図４および図５は、嵌合部の構造を一部変更した本発明の別実施例を示す。図４に示す外壁パネルＰは、雄嵌合部７をパネル厚み方向の中央付近から横向きに突設し、その裏面側に係合段部２３を設けた。さらに、溝後壁１８と締結壁１９とは、裏面側を芯材３と裏面側の外被板２とで裏打ちして補強し、この補強された突壁部２４の突端寄りを止具２０で固定し、雄嵌合部７と樋部９を支持できるようにした。他は上記の実施例と同じであるので、説明を省略する。
【００１８】
図５に示す外壁パネルＰは、図４における外壁パネルＰの係合段部２３および突壁部２４の幅方向寸法を減少し、さらに突壁部２４の側端壁に連続して締結壁１９を横外側方に延長形成した点が上記の実施例と異なる。この場合の締結壁１９は、図１に示す締結壁１９と同様に隣接する外壁パネルＰの裏面側に位置する。他は先の実施例と同じであるので、説明を省略する。
【００１９】
上記の実施例以外に、図６（ａ）に示すように樋側壁１４の外面と、溝奥壁１７の内面の少なくともいずれか一方にゴム製のシール材２５を配置して、両壁１４・１７間を回り込む雨水の浸入を阻止することができる。さらに図６（ｂ）に示すように、樋部９と対向する溝前壁１６に、樋部９へ向かって僅かに突出する止水壁２６をリブ状に上下方向にわたって設けて、溝前壁１６に沿う水膜が樋側壁１４の側へ達するのを阻止してもよい。前面壁１１の中途部に、溝前壁１６の開口縁寄り部と対向する突起２７をリブ状に上下方向にわたって設けて、目地溝２２からの雨水の吹き込みを抑止できる。突起２７は、樋側壁１４と協同して嵌合強度を高めることにも役立つ。
【００２０】
樋部９の断面形状は、半円形や逆台形等に変更できる。段部６ａ・６ｂを傾斜面で形成して、目地溝２２の断面形を逆台形状や台形状に変更できる。一方の段部６ａから樋部９に至る各壁面、及び他方の段部６ｂから締結壁１９に至る各壁面は、それぞれ表側の外被板１と一体に折り曲げ形成することが好ましいが、必要に応じて外被板１とは別の部品として形成した後、溶接して一体化できる。本発明の外壁パネルＰは、裏面側の外被板２を備えていないパネルを含む。
【００２１】
【発明の効果】
本発明では、隣接する外壁パネルＰの目地溝２２の内奥一側において、雄嵌合部７と雌嵌合部８とが凹凸係合し、この連結状態において雄嵌合部７の突端に設けた樋部９を雌嵌合部８の内奥に位置させて、目地溝２２から嵌合隙間Ｅを介して入り込む雨水を樋部９で受け、樋部９に沿って流下できるようにした。つまり、目地溝２２からの雨水の浸入を前提として、その処理を目地溝２２から離れた位置に設けた樋部９によって外界の影響を避けた状況下で確実に行い、それ以上は雨水がパネル内面側へ回り込むのを防止できるようにした。従って、パネル嵌合部からの雨水の浸入を確実に阻止して、暴風雨等の最悪の条件下でも十分な防水機能を発揮できる。
【００２２】
樋部９を雌嵌合部８で係合保持して、隣接する外壁パネルＰの連結状態を維持するので、嵌合部が内外へたわみ変形して生じる外壁パネルＰのバタつきを解消でき、バタつきに伴う騒音の発音や釘止め部の変形および疲労を防止できる。雌嵌合部８の内奥に位置する樋部９で浸入した雨水を受けて排出するので、樋部９と雌嵌合部８の嵌合形態に若干のばらつきがあっても、支障なく止水作用を発揮でき、施工品質の優劣に拘らず常に均一な防水機能を発揮できる外壁パネルが得られる。
【図面の簡単な説明】
【図１】外壁パネルを嵌合連結した状態の横断平面図である。
【図２】外壁パネルの施工例を示す斜視図である。
【図３】外壁パネルの断面図である。
【図４】外壁パネルの別実施例の連結状態を示す断面図である。
【図５】外壁パネルのさらに別実施例の連結状態を示す断面図である。
【図６】外壁パネルのさらに異なる別実施例の連結状態を示す断面図である。
【図７】従来の外壁パネルの連結構造を示す断面図である。
【符号の説明】
１・２  外被板
３  芯材
６ａ・６ｂ  段部
７  雄嵌合部
８  雌嵌合部
９  樋部
１１  前面壁
１９  締結壁
【図１】
0003587608.tif 000002
【図２】
0003587608.tif 000003
【図３】
0003587608.tif 000004
【図４】
0003587608.tif 000005
【図５】
0003587608.tif 000006
【図６】
0003587608.tif 000007
【図７】
0003587608.tif 000008